(57)【要約】  【課題】  液体試料中の成分を分析するための分析用ディスクにおいて、分析領域が既に使用済みか否かを、ユーザがより容易に目視で判断可能にする。  【解決手段】  分析用ディスク１の流路のうち、特定部分を使用済と判別できる文字形状とする。液体試料として血液を注入した後、分析用ディスク１を回転させると、遠心分離処理室６内に赤血球が分離されて残留し、この赤血球によって「済」マークに色がついた状態となるので、分析領域が既に使用済みか否かを容易に目視で判断可能となる。【選択図】  図１
2005274388.tif 000002
【特許請求の範囲】
【請求項１】
液体試料の注入口と、前記注入口に連通して前記液体試料が移送される流路とを、少なくとも一つ以上有する分析用ディスクを用い、前記分析用ディスクを回転させることにより、前記注入口に注入された液体試料を、前記流路中に移送させて液体試料中の成分を分析するのに用いる方法であって、
前記液体試料が通過する流路の一部を特定の文字、図形、記号などの形状としておき、液体試料が通過したときに前記特定の形状部分の流路を呈色させることにより、前記流路が既に使用済みとなったことを表示させるようにしたことを特徴とする、分析用ディスクの使用済み表示方法。
【請求項２】
有色成分を有する液体試料が適用され、前記分析用ディスクの回転によって、前記有色成分が前記特定の形状の領域内に分離されて残留することにより、前記有色成分により使用済みを表す呈色がなされるようにしたことを特徴とする請求項１に記載の分析用ディスクの使用済み表示方法。
【請求項３】
流入する液体試料との反応により呈色を起こす試薬あるいは部材を前記特定形状の部分に設けておき、使用済みとなったことを表示させるようにしたことを特徴とする請求項１に記載の使用済み表示方法。
【請求項４】
前記分析用ディスクは、ディスク上のアドレス情報等が記録されたディスク基板と、注入口および流路を形成したディスクカバーと、前記ディスク基板とディスクカバーとを接着するディスク接着層とからなるものである、ことを特徴とする請求項１に記載の分析用ディスクの使用済み表示方法。
【請求項５】
液体試料を移送するとともに特定形状を有する流路を、ディスクカバーではなくディスク接着層に形成したことを特徴とする、請求項４に記載の分析用ディスクの使用済み表示方法。
【請求項６】
液体試料の注入口と、前記注入口に連通して前記液体試料が移送される流路とを少なくとも一つ以上有し、前記注入口に液体試料が注入された状態で回転せしめることにより、前記液体試料を流路中に移送させて液体試料中の成分を分析することが可能な分析用ディスクであって、
前記液体試料が通過する流路の一部を特定の文字、図形、記号などの形状としておき、液体試料が通過したときに前記特定の形状部分の流路を呈色させることにより、前記流路が既に使用済みとなったことを表示させるようにしたことを特徴とする分析用ディスク。
【請求項７】
流入する液体試料との反応により呈色を起こす試薬あるいは部材を前記特定形状の部分に設けておき、使用済みとなったことを表示させるようにしたことを特徴とする請求項６に記載の分析用ディスク。
【発明の詳細な説明】
【技術分野】
【０００１】
本発明は、液体試料を採取したディスクが装着され、装着されたディスクを回転させるとともにレーザ光を照射し、ディスクからの反射光もしくは透過光を用いて液体試料中の成分を分析するのに好適であって、特に液体試料を既に注入して分析を行ったかどうかの、いわゆる使用済みディスクであるか否かの判別を、使用者がより容易に目視で判別できるようにした分析用ディスク及びその使用済み表示方法に関するものである。
【背景技術】
【０００２】
従来、例えば血液などの液体試料が流入する流路を備えるとともに、流路内に液体試料と反応する試薬を備えた分析用ディスクを用い、この分析用ディスクを回転させて流路に液体試料を展開させて試薬と反応させた後に、レーザ光を照射し、その反射光もしくは透過光を用いて液体試料中の成分を分析する分析装置がある（例えば特許文献１参照）。
【０００３】
このような分析装置および分析用ディスクでは、例えばその要部は、図４の斜視図に示すように構成されている。
【０００４】
１は分析用ディスクであり、２は分析用ディスクを回転させるためのモータ、３は回転中の分析用ディスクからの情報を読み取るためレーザ３ａを照射する光ピックアップである。
【０００５】
分析用ディスク１は、樹脂製のディスク基板１ａとディスクカバー１ｃとをディスク接着層１ｂにより貼り合わせて構成している。ディスクカバー１ｃには、液体試料を注入するため注入口４が開けられており、またディスクカバー１ｃの下面には、注入口４と連通するように、液体試料を移送して展開するための流路１５が形成されており、さらに流路１５の終端には、流路１５内の空気を外部に排出するための空気穴９が形成されている。これらの空気穴４、流路１５、空気穴９は、ディスクカバー１ｃの成型時に一体に形成される。なお流路１５は、ディスクカバー１ｃではなく接着層１ｂに形成することもできる。試薬については図示しないが、流路１５内に形成することができる。この分析用ディスク１では、流路１５を６つ形成しており６回分の分析を行うことができる。また各流路に適用する試薬を変えれば、同じ液体試料であっても６種類の分析を行うことができる。
【０００６】
分析に際しては、ユーザは、６つの流路のうち、液体試料を適用していない未使用の流路１５を選んで、液体試料を注入口４から注入する。注入後、分析用ディスク１を分析装置にセットして回転させることで、液体試料を流路１５中の終端部分に向かって展開する。分析用ディスク上には、分析領域ごとに番号が振られているので、分析を行うべき分析領域、すなわち液体試料を注入した領域を、ディスク上に記載してある番号でユーザがアプリケーションソフト上で指定する。分析装置は、指定された分析領域の流路１５に照射した反射光を読み取り、分析を行う。
【０００７】
以上のような分析装置および分析用ディスクにおいては、尿、あるいは汚水などの透明な液体試料を分析する場合には、分析後に、液体試料を適用した流路には変色が生じない。一度の分析で６つ全ての流路に一度に液体試料を注入して使用してしまえばよいが、１枚のディスクで時間をあけ複数回に分けて分析を行う場合には、どの流路を既に使用したのかどうかが判別しにくい欠点がある。この場合、誤って既に使用済みの領域に、液体試料を注入してしまう可能性があり、このような場合には正確な分析ができない。
【０００８】
また透明の液体試料に限らず、血液などの有色の液体試料においても、流路が細いければ、使用済みかどうかの判別が難しいので、誤って使用済みの流路に血液を注入する恐れがある。測定者が分析装置の取り扱いになれていたとしても、使用済みかどうかを判断するのに苦労してしまう。
【０００９】
そこで、従来、１枚の分析用ディスクで複数回に分けて測定を行うような場合には、分析終了後、分析用ディスク上に、ユーザ自身によって、分析を行ったエリアに使用済みであることを示す記号や文字を書き込んだり、シールを貼るなどして、使用済領域と未使用領域を区別するような対策が講じられていた。
【特許文献１】特表２０００−５１５６３２号公報
【発明の開示】
【発明が解決しようとする課題】
【００１０】
しかしながら、ユーザ自身がそのような対策を講じるとしても、使用の都度、そのような書き込みをしなければならず手間であり、また、誤って未使用の分析領域に使用済みと書き込んでしまったり、さらには書き込むのを忘れてしまったりする可能性もある。このような場合には、使用済みの分析領域に再度、液体試料を注入して分析を行ってしまうこととなり、正確な分析が行えないという課題を有していた。
【００１１】
そこで本発明は上記従来の課題を解決するものであり、より容易に、しかも確実に使用済みか否かを目視判断できる方法を提供することを目的とする。
【課題を解決するための手段】
【００１２】
上記従来の課題を解決するために、本発明の分析用ディスク及びその使用済み表示方法は、検体が通過する流路の一部を、文字、図形、記号などで使用済みを現す特定の形状に形成しておき、液体試料がその特定形状の部分を通過したときに、呈色して使用済みとなったことを表示させるようにしたことを特徴とするものである。
【発明の効果】
【００１３】
本発明によれば、複数回利用できる分析用ディスクにおいて、どの個所が既に測定済みなのかを、目視で簡単に判別することができるようになり、より使いやすい分析用ディスク、および分析装置を提供することができる。
【発明を実施するための最良の形態】
【００１４】
以下本発明の実施の形態について、図面を参照しながら説明する。
（実施の形態１）
図１は、本発明の一実施の形態における分析用ディスクの構成を示す平面図である。図２は、分析用ディスクの構成をわかりやすく示すため要部を切断して示す斜視図である。なお本実施の形態においては、分析装置側の構成は従来のものと変わりがないので、分析用ディスクの構成について説明をする。
【００１５】
分析用ディスク１において、４は液体試料を注入するための注入口であり、５は注入口４より注入された液体試料を分析前に一時的に貯めておくための貯蔵室である。６は貯蔵室５と連通して、流入した液体試料の遠心分離処理を行うための遠心分離処理室であり、この遠心分離処理室６は、漢字で「済」をあらわす流路形状に形成している。なおこの使用済みをあらわす文字の大きさは、分析用ディスク１の直径が１２ｃｍ程度である場合には、縦×横が６ｍｍ×１０ｍｍ程度の大きさの文字であれば見やすくすることができる。遠心分離処理室６は、その内周側の位置から次の処理に向けて、遠心分離された液体試料が移送されていくことになる。
【００１６】
また７は液体試料中の成分の分析を行うための反応室であり、試薬（図示しない）と遠心分離処理された後の液体試料とが反応する。反応室７は、分析する目的に応じて複数箇所（図面では４箇所）設けることができ、それぞれに分析目的に応じた試薬を配置することができるが、試薬を設けずに分析を行わない場合には、各反応室７へ配分されなかった液の液溜まり室８としてもよい。９は、流路内に検体が流入した際の空気の逃げ場たる空気穴である。
【００１７】
なお、分析用でディスクの外周縁上にある１０はトリガーマークであり、分析装置が回転する分析用ディスク１の位置検出のために使用する。また１１はラベルであり、６つの分析領域に対応する番号が順に記載されており、備考やメモ等記載できるスペースも設けている。
【００１８】
分析用ディスク１は図２に示すように、ディスク基板１ａ、ディスク接着層１ｂ、ディスクカバー１ｃとで構成されており、ディスクカバー１ｃの下面に液体試料が移送し展開される流路を一体成形により形成している。ディスクカバー１ｃには注入口４と空気穴９も成形時に一緒にあけている。なお流路は、ディスクカバー１ｃでなく、ディスク接着層１ｂに形成することもできる。
【００１９】
以上のように構成した分析用ディスクについて、以下、分析動作について説明する。液体試料として血液を用いる場合において、血液を注入口４から貯蔵室５がいっぱいになるまで注入する。
【００２０】
注入後、分析用ディスク１を分析装置に装着して、モータを駆動し分析用ディスク１を回転させる。このときディスク判別を行い、分析用ディスクであることを確認してから、遠心分離動作に入る。遠心分離動作では、遠心力により貯蔵室５に貯められていた検体が遠心分離処理室６に移動され、更に検体の成分の分離が行われる。遠心分離処理においては、分析に必要な血漿成分は反応室７に移送され、それ以外の血球成分は、遠心分離処理室６に貯まるように形成されている。遠心分離処理室６は上述のように「済」マークの形状に形成されており、分析に不必要な残留した血球成分によって「済」マークに赤く色づけがなされる。
【００２１】
なお、前記遠心分離処理室６に形成する「済」マークは、特に「済」の文字にはこだわらず、使用済みと判別しやすい文字や、「×」など使用済みと判別しやすい記号を用いても同様の効果が得られることは言うまでもない。
【００２２】
以上のように、本実施の形態においては、分析用ディスクの流路内に使用済みとわかる記号、文字、図形、絵を形成しているので、ユーザ自身が分析後にその都度、使用済みとなったことをディスク上に明記することをしなくても、自動的に使用済みの表示をなすことができる。そして次の分析時には、マークの部分が呈色しているので、目視で分析用ディスクの使用「済」の状況がわかることになり、分析操作に慣れていないユーザでも、使用済みの領域が容易に判断でき、使用済みの注入口へ誤って液体試料を注入するなどといった間違いを防ぐことができる。
【００２３】
（実施の形態２）
以下本発明の実施の形態２について、図面を参照しながら説明する。図３は、本発明のその他の実施の形態における分析用ディスクの構成を示す平面図である。実施の形態１の分析用ディスクと異なる構成は、無色あるいは有色としても色の薄い、透明の液体試料を用いて分析する場合においても、使用済みの表示を行えるようにした点であり、また流路の形状も異なるパターンで形成している。
【００２４】
以下具体的に説明する。液体試料として尿や汚水などの無色透明に近い試料を用い、注入口４から貯蔵室５がいっぱいになるまで注入する。注入後、分析用ディスク１を分析装置内に装着し、ディスクの回転動作を開始する。このとき、ディスク判別を行い分析用ディスクであることを確認して次の分析動作を進める。
【００２５】
ディスクの回転に伴う遠心力により、貯蔵室５に貯められていた液体試料は、流路に従って展開され分析位置１３に移送される。分析位置１３には、分析を行うために必要な試薬等が塗布されており、そこで生じる反応が光ピックアップにて観察され液体試料中の成分についての分析が行われる。
【００２６】
分析位置１３を通過した検体は、色素格納室１４に移動する。色素格納室１４には、液体試料を染め上げるのに有効な色素が入っており、液体試料は染色されながら、液溜まり室８に移動し、液溜まりに形成された 「済」マークに色づけがなされる。なお、この場合において、分析に使用した液体試料自身に呈色反応を起こさせるため、分析する液体試料の個体差に左右されない色素を使用することが望ましい。
【００２７】
なお色素を用いる以外にも、液体試料により湿潤されることで呈色する部材を「済」マークの位置する流路に面するように配置してもよい。
【００２８】
以上のように、本実施の形態においては、分析用ディスクの流路内に使用済みとわかる記号、文字、図形、絵を形成しているので、ユーザ自身が分析後にその都度、使用済みとなったことをディスク上に明記することをしなくても、自動的に使用済みの表示をなすことができる。そして次の分析時には、マークの部分が呈色しているので、目視で分析用ディスクの使用「済」の状況がわかることになり、分析操作に慣れていないユーザでも、使用済みの領域が容易に判断でき、使用済みの注入口へ誤って液体試料を注入するなどといった間違いを防ぐことができる。
【産業上の利用可能性】
【００２９】
本発明にかかる使用済領域の判別手段は、医療分析装置、水質分析装置、食品分析装置等への利用が有用であり、特に、注入した液体を利用し使用済マークを形成することができ、液体を注入し、１度使用するとその領域は使用できなくなる部分に用いるのに適している。
【図面の簡単な説明】
【００３０】
【図１】本発明の実施の形態１における分析用ディスクを示す平面図
【図２】同分析用ディスクの要部断面を拡大して示す斜視図
【図３】本発明の実施の形態２における分析用ディスクを示す平面図
【図４】従来の分析用ディスク及び分析装置の要部の構成を示す斜視図
【符号の説明】
【００３１】
１  分析用ディスク
１ａ  基板ディスク
１ｂ  接着層
１ｃ  カバー
２  スピンドルモータ
３  光ピックアップ
４  注入口
５  検体貯蔵室
６  遠心分離処理室
７  反応室
８  液溜まり室
９  空気穴
１０  トリガーマーク
１１  ラベル
１３  分析位置
１４  色素格納室
１５  流路
【図１】
2005274388.tif 000003
【図２】
2005274388.tif 000004
【図３】
2005274388.tif 000005
【図４】
2005274388.tif 000006